(57)【要約】【課題】スポット吸引装置では、スポット吸引するスペースを給気用換気装置により吐出される室外空気で遮断し、排気用換気装置でその遮断したスペースの汚れた室内空気を効率よく吸込み、室外に排気しているため、排気用換気装置だけでなく、排気対象の汚れた空気を遮断する給気用換気装置も必要となり、構造が複雑で、製品寸法も大きくなるという課題があった。そこで、構造が簡単で、小型なスポット換気装置を要求されている。【解決手段】吸込ルーバ２が回転し、吸込ルーバ２に、気流を吸込む吸込口１を備え、気流の吸込み時に、この吸込口１が回転することで、吸込気流に旋回を与え、排気対象の汚れた空気を遮断する給気用換気装置を必要とせず、排気対象の汚れた空気を効率よく吸引させることができる構造が簡単な小型のスポット吸引装置を提供することができる。【選択図】図１
2005282983.tif 000002
【特許請求の範囲】
【請求項１】
吸込ルーバが回転し、前記吸込ルーバに気流を吸込む吸込口を備え、気流の吸込み時に、この吸込口が前記吸込ルーバの回転中心で回転し、かつ、前記吸込ルーバの回転中心以外に吸込口があることを特徴とする吸込ルーバ。
【請求項２】
回転中心の半径方向に少なくとも１つ以上の吸込口を備えたことを特徴とする請求項１記載の吸込ルーバ。
【請求項３】
回転中心の相反する半径方向に少なくとも１つ以上の吸込口を備えたことを特徴とする請求項１記載の吸込ルーバ。
【請求項４】
吸込口に吸込まれている旋回流の旋回を強めるようにしたことを特徴とする請求項１、２または３記載の吸込ルーバ。
【請求項５】
回転中心付近と、回転中心の半径方向に少なくとも１つ以上の吸込口を備えたことを特徴とする請求項１または４に記載の吸込ルーバ。
【請求項６】
回転中心付近と、回転中心の相反する半径方向に少なくとも１つ以上の吸込口を備えたことを特徴とする請求項１または４に記載の吸込ルーバ。
【請求項７】
厚み方向において、吸込口の角度を、前記吸込口上流側が回転軸から近く、前記吸込口下流側が回転軸から遠くなるように角度をつけたことを特徴とする請求項１、２、３、４、５または６記載の吸込ルーバ。
【請求項８】
少なくとも１つの面が、凹状になっていることを特徴とした請求項１、２、３、４、５、６または７記載の吸込ルーバ。
【請求項９】
本体と、この本体に室内の空気を屋外に排気するファンと、このファンを回転させるモータと、前記ファンの上流側に位置するオリフィスと、このオリフィスの上流側に請求項１、２、３、４、５、６、７または８記載の吸込ルーバを備えることを特徴とするスポット吸引装置。
【請求項１０】
ファンと、オリフィスと、吸込ルーバが一体となって回転することを特徴とする請求項９記載のスポット吸引装置。
【請求項１１】
吸込ルーバを回転させる吸込ルーバ用モータを備え、この吸込ルーバ用モータにより前記吸込ルーバを回転させることを特徴とした請求項９に記載のスポット吸引装置。
【請求項１２】
吸込まれる気流により吸込ルーバを回転させるフィンを備えた請求項９記載のスポット吸引装置。
【請求項１３】
吸込口の上流側を給気フードで囲い、この給気フードの外周部にブレードを備えたことを特徴とする請求項９、１０、１１または１２記載のスポット吸引装置。
【発明の詳細な説明】
【技術分野】
【０００１】
本発明は、室内空気のスポット吸引に適したスポット吸引装置に関するものである。
【背景技術】
【０００２】
従来、この種のスポット吸引装置は、室外空気を給気用換気装置で引き込み、スポット吸引するスペースを、吐出される室外空気で遮断し、その遮断したスペースの汚れた室内空気を効率よく吸込み、換気用換気装置で室外に排出することのできる空気調和機のスポット吸引装置を提供しようとすることを目的としている（例えば、特許文献１参照）。
【０００３】
以下、そのスポット吸引装置について図１４を参照しながら説明する。
【０００４】
図に示すように、天井１００に設置し、排気のみを行う排気用換気装置１０１、給気のみを行う給気用換気装置１０２を有し、排気ダクト１０３の途中に排気ファン１０４を内装した排気用換気装置１０１の吸込穴１０５を、給気ダクト１０６の途中に給気ファン１０７を内装した給気用換気装置１０２の吐出穴１０８で囲っており、スポット吸引するスペースを、吐出穴１０８から吐出される室外空気で遮断し、その遮断したスペースの汚れた室内空気の吸引を効率よく行えることを特徴とする。
【特許文献１】特開平９−１４５１１５号公報（第３頁、第１図）
【発明の開示】
【発明が解決しようとする課題】
【０００５】
このような従来のスポット吸引装置では、スポット吸引するスペースを、給気用換気装置により吐出される室外空気で遮断し、排気用換気装置でその遮断したスペースの汚れた室内空気を効率よく吸込み、室外に排気しているため、排気用換気装置だけでなく、排気対象の汚れた空気を遮断する給気用換気装置も必要となる。このため、構造が複雑で、製品寸法も大きくなるという課題があった。そこで、排気対象の汚れた空気を遮断する給気用換気装置を必要としないスポット吸引装置が要求されている。
【０００６】
本発明は、このような従来の課題を解決するものであり、排気対象の汚れた空気を遮断する給気用換気装置を必要とせず、室内の吸込気流を旋回させることで、排気対象の汚れた空気を効率よく吸引させることができるスポット吸引装置を提供することを目的としている。
【課題を解決するための手段】
【０００７】
本発明のスポット吸引装置は、上記目的を達成するために、吸込ルーバが回転し、吸込ルーバに気流を吸込む吸込口を備え、気流の吸込み時に、この吸込口が吸込ルーバの回転中心で回転し、かつ、吸込ルーバの回転中心以外に吸込口があることを特徴とする吸込ルーバを構成している。
【０００８】
この手段により、給気用換気装置がなくても、室内の吸込気流を旋回させ、この旋回流により排気対象の汚れた室内空気を効率よく吸引することができる。
【０００９】
また、本発明のスポット吸引装置は、上記目的を達成するために、回転中心の半径方向に少なくとも１つ以上の吸込口を備えたことを特徴とする吸込ルーバを構成している。
【００１０】
この手段により、給気用換気装置がなくても、室内の吸込気流を旋回させ、この旋回流により排気対象の汚れた室内空気を効率よく吸引することができる。
【００１１】
また、本発明のスポット吸引装置は、上記目的を達成するために、回転中心の相反する半径方向に少なくとも１つ以上の吸込口を備えたことを特徴とする吸込ルーバを構成している。
【００１２】
この手段により、給気用換気装置がなくても、室内の吸込気流を旋回させ、この旋回流により排気対象の汚れた室内空気を効率よく吸引することができる。
【００１３】
また、本発明のスポット吸引装置は、上記目的を達成するために、吸込口に吸込まれている旋回流の旋回を強めるようにしたことを特徴とする吸込ルーバを構成している。
【００１４】
この手段により、強い旋回流を発生させることができ、吸込口から離れても、旋回流を保つことができ、排気対象の汚れた室内空気を効率よく吸引することができる。
【００１５】
また、本発明のスポット吸引装置は、上記目的を達成するために、回転中心付近と、回転中心の半径方向に少なくとも１つ以上の吸込口を備えたことを特徴とする吸込ルーバを構成している。
【００１６】
この手段により、強い旋回流を発生させることができ、吸込口から離れても、旋回流を保つことができ、排気対象の汚れた室内空気を効率よく吸引することができる。
【００１７】
また、本発明のスポット吸引装置は、上記目的を達成するために、回転中心付近と、回転中心の相反する半径方向に少なくとも１つ以上の吸込口を備えたことを特徴とする吸込ルーバを構成している。
【００１８】
この手段により、強い旋回流を発生させることができ、吸込口から離れても、旋回流を保つことができ、排気対象の汚れた室内空気を効率よく吸引することができる。
【００１９】
また、本発明のスポット吸引装置は、上記目的を達成するために、厚み方向において、吸込口の角度を、吸込口上流側が回転軸から近く、吸込口下流側が回転軸から遠くなるように角度をつけたことを特徴とする吸込ルーバを構成している。
【００２０】
この手段により、強い旋回流を発生させることができ、吸込口から離れても、旋回流を保つことができ、排気対象の汚れた室内空気を効率よく吸引することができる。
【００２１】
また、本発明のスポット吸引装置は、上記目的を達成するために、少なくとも１つの面が、凹状になっていることを特徴とした吸込ルーバを構成している。
【００２２】
この手段により、強い旋回流を発生させることができ、吸込口から離れても、旋回流を保つことができ、排気対象の汚れた室内空気を効率よく吸引することができる。
【００２３】
また、本発明のスポット吸引装置は、上記目的を達成するために、本体と、この本体に室内の空気を屋外に排気するファンと、このファンを回転させるモータと、ファンの上流側に位置するオリフィスと、このオリフィスの上流側に吸込ルーバを備えることを特徴としたものである。
【００２４】
この手段により、給気用換気装置がなくても、室内の吸込気流を旋回させ、この旋回流により排気対象の汚れた室内空気を効率よく吸引することができる。
【００２５】
また、本発明のスポット吸引装置は、上記目的を達成するために、ファンと、オリフィスと、吸込ルーバが一体となって回転することを特徴としたものである。
【００２６】
この手段により、１つのモータでファンと、吸込ルーバを回転させることができるため構造が簡単なスポット吸引装置にすることができる。
【００２７】
また、本発明のスポット吸引装置は、上記目的を達成するために、吸込ルーバを回転させる吸込ルーバ用モータを備え、この吸込ルーバ用モータにより吸込ルーバを回転させることを特徴としたものである。
【００２８】
この手段により、ファンの回転数に関係なく、自由に吸込ルーバの回転数を変化させることができるスポット吸引装置にすることができる。
【００２９】
また、本発明のスポット吸引装置は、上記目的を達成するために、吸込まれる気流により吸込ルーバを回転させるフィンを備えたことを特徴としたものである。
【００３０】
この手段により、吸込ルーバを回転させるための駆動部を必要としないため、構造が簡単なスポット吸引装置にすることができる。
【００３１】
また、本発明のスポット吸引装置は、上記目的を達成するために、吸込口の上流側を給気フードで囲い、この給気フードの外周部にブレードを備えたことを特徴としたものである。
【００３２】
この手段により、強い旋回流を発生させることができ、吸込口から離れても、旋回流を保つことができ、排気対象の汚れた室内空気を効率よく吸引することができる。
【発明の効果】
【００３３】
本発明によれば、排気対象の汚れた空気を遮断する給気用換気装置がなくても、室内の吸込気流を旋回させ、この旋回流により吸込気流を外側に拡散させずに、排気対象の汚れた空気を効率よく吸引するスポット吸引装置を提供できる。
【発明を実施するための最良の形態】
【００３４】
本発明の請求項１記載の発明は、吸込ルーバが回転し、吸込ルーバに気流を吸込む吸込口を備え、気流の吸込み時に、この吸込口が前記吸込ルーバの回転中心で回転し、かつ、前記吸込ルーバの回転中心以外に吸込口があることを特徴とする吸込ルーバであり、給気用換気装置がなくても、室内の吸込気流を旋回させ、この旋回流により排気対象の汚れた室内空気を効率よく吸引する作用を有する。
【００３５】
また、回転中心の半径方向に少なくとも１つ以上の吸込口を備えたことを特徴とする吸込ルーバであり、給気用換気装置がなくても、室内の吸込気流を旋回させ、この旋回流により排気対象の汚れた室内空気を効率よく吸引する作用を有する。
【００３６】
また、回転中心の相反する半径方向に少なくとも１つ以上の吸込口を備えたことを特徴とする吸込ルーバであり、給気用換気装置がなくても、室内の吸込気流を旋回させ、この旋回流により排気対象の汚れた室内空気を効率よく吸引する作用を有する。
【００３７】
また、吸込口に吸込まれている旋回流の旋回を強めるように備えた吸込ルーバであり、吸込口から離れても、旋回流を保つことができ、排気対象の汚れた室内空気を効率よく吸引する作用を有する。
【００３８】
また、回転中心付近と、回転中心の半径方向に少なくとも１つ以上の吸込口を備えたことを特徴とする吸込ルーバであり、吸込口から離れても、旋回流を保つことができ、排気対象の汚れた室内空気を効率よく吸引する作用を有する。
【００３９】
また、回転中心付近と、回転中心の相反する半径方向に少なくとも１つ以上の吸込口を備えたことを特徴とする吸込ルーバであり、吸込口から離れても、旋回流を保つことができ、排気対象の汚れた室内空気を効率よく吸引する作用を有する。
【００４０】
また、厚み方向において、吸込口の角度を、前記吸込口上流側が回転軸から近く、前記吸込口下流側が回転軸から遠くなるように角度をつけたことを特徴とする吸込ルーバであり、吸込口から離れても、旋回流を保つことができ、排気対象の汚れた室内空気を効率よく吸引する作用を有する。
【００４１】
また、少なくとも１つの面が、凹状になっていることを特徴とした吸込ルーバであり、吸込口から離れても、旋回流を保つことができ、排気対象の汚れた室内空気を効率よく吸引する作用を有する。
【００４２】
また、本体と、この本体に室内の空気を屋外に排気するファンと、このファンを回転させるモータと、前記ファンの上流側に位置するオリフィスと、このオリフィスの上流側に吸込ルーバを備えることを特徴とするスポット吸引装置であり、給気用換気装置がなくても、室内の吸込気流を旋回させ、この旋回流により排気対象の汚れた室内空気を効率よく吸引する作用を有する。
【００４３】
また、ファンと、オリフィスと、吸込ルーバが一体となって回転することを特徴とするスポット吸引装置であり、１つのモータでファンと、吸込ルーバを回転させることができるため、構造が簡単なスポット吸引装置にすることができるという作用を有する。
【００４４】
また、吸込ルーバを回転させる吸込ルーバ用モータを備え、この吸込ルーバ用モータにより前記吸込ルーバを回転させることを特徴としたスポット吸引装置であり、ファンの回転数に関係なく、自由に吸込ルーバの回転数を変化させることができ、旋回流の強さを変えられるスポット吸引装置にすることができるという作用を有する。
【００４５】
また、吸込まれる気流により吸込ルーバを回転させるフィンを備えたスポット吸引装置であり、吸込ルーバを回転させるための駆動部を必要としないため、構造が簡単なスポット吸引装置にすることができるという作用を有する。
【００４６】
また、吸込口の上流側を給気フードで囲い、この給気フードの外周部にブレードを備えたことを特徴とするスポット吸引装置であり、強い旋回流を発生させることができ、吸込口から離れても、旋回流を保つことができ、排気対象の汚れた室内空気を効率よく吸引する作用を有する。
【００４７】
以下、本発明の実施の形態について図面を参照しながら説明する。
【００４８】
（実施の形態１）
図１は、本発明の実施の形態１における吸込口１を備えた吸込ルーバ２の下視図である。図２は、図１の横断面図である。
【００４９】
図１において、吸込ルーバ２が回転し、吸込ルーバ２に気流を吸込む吸込口１を備え、気流の吸込み時に、この吸込口１が吸込ルーバ２の回転中心３で回転し、かつ、吸込ルーバ２の回転中心３以外に吸込口１があるという構成となっている。
【００５０】
図２において、吸込ルーバ２に吸込ルーバ用モータ４を備え、この吸込ルーバ用モータ４により、吸込ルーバ２を回転させると同時に吸込口１が回転する構成となっている。
【００５１】
以上のように、構成された吸込ルーバ２において、吸込口１に吸込まれる気流は、次々に周方向に位置が変わる吸込口１のために、吸込口１付近の気流も周方向に変化しながら吸込口１に吸込まれ、旋回し始める。この吸込口１付近の気流が、さらに上流の気流を吸引するため、さらに上流の気流も次々に遅れて旋回し初め、旋回流５となる。吸込気流に旋回を与えることで、外側に拡散させずに気流を吸込むことができ、スポット吸引の効果を有する。
【００５２】
また、吸込口１を回転させるだけで、旋回流５発生させることができるため、給気用換気装置が不要となり、スポット吸引装置の構造が簡単で、さらに製品寸法を小さくすることができるという効果を有する。
【００５３】
なお、本実施の形態１では、吸込ルーバ用モータ４を備えるとしたが、別の方法で吸込口１を回転させることができれば、吸込ルーバ用モータ４を備えなくてよい。
【００５４】
なお、本実施の形態１では、吸込ルーバ２を円盤とし、この円盤の中心で回転させているが、吸込口１のみから気流を吸うようにしてやれば、吸込ルーバ２の形状は、円盤でなくてもよく、また、回転中心３も円盤の中心になくてもよい。
【００５５】
（実施の形態２）
実施の形態１と同じ構成については同じ符号を用い詳細な説明を省略する。
【００５６】
図３は、本発明の実施の形態２における吸込口１を備えた吸込ルーバ２の下視図である。
【００５７】
図３において、吸込ルーバ２が回転し、吸込ルーバ２に気流を吸込む吸込口１を備え、気流の吸込み時に、この吸込口１が吸込ルーバ２の回転中心３で回転し、かつ、吸込ルーバ２の回転中心３以外に吸込口１があり、吸込ルーバ２の回転中心３の半径方向６Ａに少なくとも１つ以上の吸込口１を備えた構成となっている。
【００５８】
以上のように、構成された吸込ルーバ２において、吸込口１に吸込まれる気流は、次々に周方向に位置が変わる吸込口１のために、吸込口１付近の気流も周方向に変化しながら吸込口１に吸込まれ、旋回し始める。この吸込口１付近の気流が、さらに上流の気流を吸引するため、さらに上流の気流も次々に遅れて旋回し初め、旋回流５となる。吸込気流に旋回を与えることで、外側に拡散させずに気流を吸込むことができ、スポット吸引の効果を有する。
【００５９】
また、吸込口１を回転させるだけで、旋回流５発生させることができるため、給気用換気装置が不要となり、スポット吸引装置の構造が簡単で、さらに製品寸法を小さくすることができるという効果を有する。
【００６０】
なお、図示していないが、本実施の形態２では、吸込口１を回転させるため、吸込ルーバ２に電動機を備えるが、別の方法で吸込口１を回転させることができれば、電動機を備えなくてよい。
【００６１】
なお、本実施の形態２では、吸込ルーバ２を円盤とし、この円盤の中心で回転させているが、吸込口１のみから気流を吸うようにしてやれば、吸込ルーバ２の形状は、円盤でなくてもよく、また、回転中心３も円盤の中心になくてもよい。
【００６２】
なお、本実施の形態２では、半径方向を同一直線上としたが、同一直線状でなくとも、旋回流５が発生すれば、同一直線上に吸込口１を備えなくてもよい。
【００６３】
なお、吸込口１が２つ以上構成された場合、互いに影響を与え合い、旋回流５の効果をうち消すことが少なくなるように吸込口１の形状を構成する。
【００６４】
（実施の形態３）
実施の形態１または２と同じ構成については同じ符号を用い詳細な説明を省略する。
【００６５】
図４は、本発明の実施の形態３における吸込口１を備えた吸込ルーバ２の下視図である。
【００６６】
図４において、吸込ルーバ２が回転し、吸込ルーバ２に気流を吸込む吸込口１を備え、気流の吸込み時に、この吸込口１が吸込ルーバ２の回転中心３で回転し、かつ、吸込ルーバ２の回転中心３以外に吸込口１があり、吸込ルーバ２の回転中心３のそれぞれ相反する半径方向６A、６Ｂに少なくとも１つ以上の吸込口１を備えた構成となっている。
【００６７】
以上のように、構成された吸込ルーバ２において、吸込口１に吸込まれる気流は、次々に周方向に位置が変わる吸込口１のために、吸込口１付近の気流も周方向に変化しながら吸込口１に吸込まれ、旋回し始める。この吸込口１付近の気流が、さらに上流の気流を吸引するため、さらに上流の気流も次々に遅れて旋回し初め、旋回流５となる。吸込気流に旋回を与えることで、外側に拡散させずに気流を吸込むことができ、スポット吸引の効果を有する。
【００６８】
また、吸込口１を回転させるだけで、旋回流５発生させることができるため、給気用換気装置が不要となり、スポット吸引装置の構造が簡単で、さらに製品寸法を小さくすることができるという効果を有する。
【００６９】
なお、図示していないが、本実施の形態３では、吸込口１を回転させるため、吸込ルーバ２に電動機を備えるが、別の方法で吸込口１を回転させることができれば、電動機を備えなくてよい。
【００７０】
なお、本実施の形態３では、吸込ルーバ２を円盤とし、この円盤の中心で回転させているが、吸込口１のみから気流を吸うようにしてやれば、吸込ルーバ２の形状は、円盤でなくてもよく、また、回転中心３も円盤の中心になくてもよい。
【００７１】
なお、本実施の形態３では、半径方向を同一直線上としたが、同一直線状でなくとも、旋回流５が発生すれば、同一直線上に吸込口１を備えなくてもよい。
【００７２】
なお、互いの吸込口１が、吸込ルーバ２の中心の相反する半径方向６Ａ、６Ｂに構成されているために、互いの吸込口１からの吸込気流の影響を与えず、旋回流５の効果をうち消すことが少ない構成となっている。
【００７３】
（実施の形態４）
実施の形態１、２または３と同じ構成については同じ符号を用い詳細な説明を省略する。
【００７４】
図５は、本発明の実施の形態４における吸込口１を備えた吸込ルーバ２の下視図である。
【００７５】
図５において、吸込ルーバ２が回転し、吸込ルーバ２に気流を吸込む吸込口１を備え、気流の吸込み時に、この吸込口１が吸込ルーバ２の回転中心３で回転し、旋回を強める手段として、吸込ルーバ２の回転中心３付近と、吸込ルーバ２の回転中心３の半径方向位置に少なくとも１つ以上の吸込口１を備えた構成となっている。
【００７６】
以上のように、構成された吸込ルーバ２において、吸込口１に吸込まれる気流は、次々に周方向に位置が変わる吸込口１のために、吸込口１付近の気流も周方向に変化しながら吸込口１に吸込まれ、旋回し始める。この吸込口１付近の気流が、さらに上流の気流を吸引するため、さらに上流の気流も次々に遅れて旋回し初め、旋回流５となる。吸込気流に旋回を与えることで、外側に拡散させずに気流を吸込むことができ、スポット吸引の効果を有する。
【００７７】
また、吸込ルーバ２の回転中心３付近に吸込口１が存在するため、吸込ルーバ２の回転によらず、この吸込口１の部分は常に負圧となり、吸込ルーバ２の回転中心３付近に気流を吸込み、旋回流５が旋回に対して、さらに内側に向き、強い旋回流５を発生させる効果を有する。また、この強い旋回流５のため、吸込口１から離れても、旋回流５を保つことができる効果を有する。
【００７８】
また、吸込口１を回転させるだけで、旋回流５発生させることができるため、給気用換気装置が不要となり、スポット吸引装置の構造が簡単で、さらに製品寸法を小さくすることができるという効果を有する。
【００７９】
なお、図示していないが、本実施の形態４では、吸込口１を回転させるため、吸込ルーバ２に電動機を備えるが、別の方法で吸込口１を回転させることができれば、電動機を備えなくてよい。
【００８０】
なお、本実施の形態４では、吸込ルーバ２を円盤とし、この円盤の中心で回転させているが、吸込口１のみから気流を吸うようにしてやれば、吸込ルーバ２の形状は、円盤でなくてもよく、また、回転中心３も円盤の中心になくてもよい。
【００８１】
なお、本実施の形態４では、半径方向を同一直線上としたが、同一直線状でなくとも、旋回流５が発生すれば、同一直線上に吸込口１を備えなくてもよい。
【００８２】
なお、吸込ルーバ２の回転中心３付近に備えた吸込口１とは、吸込ルーバ２の回転中心３に必ず吸込口１が含まれているということである。
【００８３】
（実施の形態５）
実施の形態１、２、３または４と同じ構成については同じ符号を用い詳細な説明を省略する。
【００８４】
図６は、本発明の実施の形態５における吸込口１を備えた吸込ルーバ２の下視図であ  る。
【００８５】
図６において、吸込ルーバ２が回転し、吸込ルーバ２に気流を吸込む吸込口１を備え、気流の吸込み時に、この吸込口１が吸込ルーバ２の回転中心３で回転し、旋回を強める手段として、吸込ルーバ２の回転中心３付近と、吸込ルーバ２の回転中心３のそれぞれ相反する半径方向６Ａ、６Ｂに少なくとも１つ以上の吸込口１を備えた構成となっている。
【００８６】
以上のように、構成された吸込ルーバ２において、吸込口１に吸込まれる気流は、次々に周方向に位置が変わる吸込口１のために、吸込口１付近の気流も周方向に変化しながら吸込口１に吸込まれ、旋回し始める。この吸込口１付近の気流が、さらに上流の気流を吸引するため、さらに上流の気流も次々に遅れて旋回し初め、旋回流５となる。吸込気流に旋回を与えることで、外側に拡散させずに気流を吸込むことができ、スポット吸引の効果を有する。
【００８７】
また、吸込ルーバ２の回転中心３付近に吸込口１が存在するため、吸込口１の回転によらず、この吸込口１の部分は常に負圧となり、吸込ルーバ２の回転中心３付近に気流を吸込み、旋回流５が旋回に対して、さらに内側に向き、強い旋回流５を発生させる効果を有する。また、この強い旋回流５のため、吸込口１から離れても、旋回流５を保つことができる効果を有する。
【００８８】
また、吸込口１を回転させるだけで、旋回流５発生させることができるため、給気用換気装置が不要となり、スポット吸引装置の構造が簡単で、さらに製品寸法を小さくすることができるという効果を有する。
【００８９】
なお、図示していないが、本実施の形態５では、吸込口１を回転させるため、吸込ルーバ２に電動機を備えるが、別の方法で吸込口１を回転させることができれば、電動機を備えなくてよい。
【００９０】
なお、本実施の形態５では、吸込ルーバ２を円盤とし、この円盤の中心で回転させているが、吸込口１のみから気流を吸うようにしてやれば、吸込ルーバ２の形状は、円盤でなくてもよく、また、回転中心３も円盤の中心になくてもよい。
【００９１】
なお、本実施の形態５では、半径方向を同一直線上としたが、同一直線状でなくとも、旋回流５が発生すれば、同一直線上に吸込口１を備えなくてもよい。
【００９２】
なお、吸込ルーバ２の回転中心３付近に備えた吸込口１とは、吸込ルーバ２の回転中心３に必ず吸込口１が含まれているということである。
【００９３】
なお、互いの吸込口１が、吸込ルーバ２の中心の相反する半径方向に備えているために、互いの吸込口１からの吸込気流の影響を与えず、旋回流５の効果をうち消すことが少ない構成となっている。
【００９４】
（実施の形態６）
実施の形態１、２、３、４または５と同じ構成については同じ符号を用い詳細な説明を省略する。
【００９５】
図７は、本発明の実施の形態６における吸込口１を備えた吸込ルーバ２の横断面図である。
【００９６】
図７において、吸込ルーバ２が回転し、吸込ルーバ２に気流を吸込む吸込口１を備え、気流の吸込み時に、この吸込口１が吸込ルーバ２の回転中心３で回転し、旋回を強める手段として、吸込ルーバ２の厚み方向において、吸込口１の角度を、吸込口１上流側が回転軸７から近く、吸込口１下流側が回転軸７から遠くなるように角度をつけたことを特徴とする構成となっている。
【００９７】
以上のように、構成された吸込ルーバ２において、吸込口１に吸込まれる気流は、次々に周方向に位置が変わる吸込口１のために、吸込口１付近の気流も周方向に変化しながら吸込口１に吸込まれ、旋回し始める。この吸込口１付近の気流が、さらに上流の気流を吸引するため、さらに上流の気流も次々に遅れて旋回し初め、旋回流５となる。吸込気流に旋回を与えることで、外側に拡散させずに気流を吸込むことができ、スポット吸引の効果を有する。
【００９８】
また、吸込口１に吸込まれる気流は、吸込口１に角度をつけているため、常に吸込ルーバ２の中心側から吸込まれ、旋回流５が旋回に対して、さらに内側に向き、強い旋回流５を発生させる効果を有する。また、この強い旋回流５のため、吸込口１から離れても、旋回流５を保つことができる効果を有する。
【００９９】
また、吸込ルーバ２の厚み方向において、吸込口１に角度を付けることで、吸込口１の入口から出口までの距離を長くすることができ、吸込気流を吸込ルーバ２の中心から吸う効果を強め、強い旋回流５を発生させる効果を有する。
【０１００】
なお、図示していないが、本実施の形態６では、吸込口１を回転させるため、吸込ルーバ２に電動機を備えるが、別の方法で吸込口１を回転させることができれば、電動機を備えなくてよい。
【０１０１】
なお、本実施の形態６では、吸込ルーバ２を円盤とし、この円盤の中心で回転させているが、吸込口１のみから気流を吸うようにしてやれば、吸込ルーバ２の形状は、円盤でなくてもよく、また、円盤中心に回転軸７がなくてもよい。
【０１０２】
（実施の形態７）
実施の形態１、２、３、４、５または６と同じ構成については同じ符号を用い詳細な説明を省略する。
【０１０３】
図８は、本発明の実施の形態７における吸込口１を備えた吸込ルーバ２の横断面図である。
【０１０４】
図８において、吸込ルーバ２が回転し、吸込ルーバ２に気流を吸込む吸込口１を備え、気流の吸込み時に、この吸込口１が吸込ルーバ２の回転中心３で回転し、旋回を強める手段として、吸込ルーバ２の一面の形状を凹状にした吸込ルーバ２に吸込口１を備えた構成となっている。
【０１０５】
以上のように、構成された吸込ルーバ２において、吸込口１に吸込まれる気流は、次々に周方向に位置が変わる吸込口１のために、吸込口１付近の気流も周方向に変化しながら吸込口１に吸込まれ、旋回し始める。この吸込口１付近の気流が、さらに上流の気流を吸引するため、さらに上流の気流も次々に遅れて旋回し初め、旋回流５となる。吸込気流に旋回を与えることで、外側に拡散させずに気流を吸込むことができ、スポット吸引の効果を有する。
【０１０６】
また、吸込ルーバ２の上流側の形状を凹状にすることで、気流を外側に拡散させずに吸込むことができ、吸込口１から離れた気流も吸込むことができる効果を有する。
【０１０７】
なお、図示していないが、本実施の形態７では、吸込口１を回転させるため、吸込ルーバ２に電動機を備えるが、別の方法で吸込口１を回転させることができれば、電動機を備えなくてよい。
【０１０８】
なお、本実施の形態７では、吸込ルーバ２を円盤とし、この円盤の中心で回転させているが、吸込口１のみから気流を吸うようにしてやれば、吸込ルーバ２の形状は、円盤でなくてもよく、また、円盤中心に回転軸７がなくてもよい。
【０１０９】
なお、凹状とは、吸込ルーバ２の上流側の面が外周部から回転軸７に向かって、徐々に、へこんでいく、すなわち、回転軸７に近いほど、吸込口１が下流側にあるということである。
【０１１０】
なお、吸込ルーバ２の一面の凹状を深くなるようにすれば、吸込気流を外側に拡散させずに吸込むことを強める効果を有する。
【０１１１】
（実施の形態８）
実施の形態１、２、３、４、５、６または７と同じ構成については同じ符号を用い詳細な説明を省略する。
【０１１２】
図９は、本発明の実施の形態８におけるスポット吸引装置の横断面図である。
【０１１３】
図９において、本体８と、この本体８に室内の空気を屋外に排気するファン９と、このファン９を回転させるモータ１０と、ファン９の上流側に位置するオリフィス１１と、このオリフィス１１の上流側に回転する吸込ルーバ２と、この吸込ルーバ２に吸込口１を有し、気流の吸込み時に、この吸込口１が吸込ルーバ２の回転軸７で回転する構成となっている。
【０１１４】
以上のように、構成された吸込ルーバ２において、吸込口１に吸込まれる気流は、次々に周方向に位置が変わる吸込口１のために、吸込口１付近の気流も周方向に変化しながら吸込口１に吸込まれ、旋回し始める。この吸込口１付近の気流が、さらに上流の気流を吸引するため、さらに上流の気流も次々に遅れて旋回し初め、旋回流５となる。吸込気流に旋回を与えることで、外側に拡散させずに気流を吸込むことができ、スポット吸引の効果を有する。
【０１１５】
また、吸込口１を回転させるだけで、旋回流５を発生させることができるため、給気用換気装置が不要となり、スポット吸引装置の構造が簡単で、さらに製品寸法を小さくすることができるという効果を有する。
【０１１６】
なお、本実施の形態８では、モータ１０の軸を伸ばしてファン９と共に吸込ルーバ２にも取りつけ、ファン９と、吸込ルーバ２を同時に回転させることにより、吸込口１を回転させる構成であるが、別の方法で吸込口１を回転させることができれば、モータ１０により吸込口１を回転させる必要はない。
【０１１７】
なお、本実施の形態８では、吸込ルーバ２を円盤とし、この円盤の中心で回転させているが、吸込口１のみから気流を吸うようにしてやれば、吸込ルーバ２の形状は、円盤でなくてもよく、また、円盤中心に回転軸７がなくてもよい。
【０１１８】
（実施の形態９）
実施の形態１、２、３、４、５、６、７または８と同じ構成については同じ符号を用い詳細な説明を省略する。
【０１１９】
図１０は、本発明の実施の形態９におけるスポット吸引装置の横断面図である。
【０１２０】
図１０について、ファン９と、オリフィス１１と、吸込ルーバ２が一体となって回転することにより、吸込口１が回転するという構成となっている。
【０１２１】
以上のように、構成されたスポット吸引装置において、吸込口１を回転させるための駆動部を新たに必要とせず、構造を簡単にでき、製品コストを削減できるという作用を有する。
【０１２２】
なお、本実施の形態９では、吸込ルーバ２を円盤とし、この円盤の中心で回転させているが、吸込口１のみから気流を吸うようにしてやれば、吸込ルーバ２の形状は、円盤でなくてもよく、また、円盤中心に回転軸７がなくてもよい。
【０１２３】
（実施の形態１０）
実施の形態１、２、３、５、６、７、８または９と同じ構成については同じ符号を用い詳細な説明を省略する。
【０１２４】
図１１は、本発明の実施の形態１０におけるスポット吸引装置の横断面図である。
【０１２５】
図１１について、吸込ルーバ２に吸込ルーバ用モータ４を備え、この吸込ルーバ用モータ４で、吸込ルーバ２を回転させることにより、吸込口１を回転させる構成となっている。また、吸込ルーバ用モータ４は、モータ固定部１２に固定されるという構成となっている。
【０１２６】
以上のように、構成されたスポット吸引装置において、吸込口１を回転させるためにモータ１０とは別の吸込ルーバ用モータ４を備えているため、モータ１０と同じ回転数にしなくてもよく、自由に吸込口１の回転数を制御することができ、旋回の強さを調節し、スポット吸引の強さを調節することができるという作用を有する。
【０１２７】
なお、本実施の形態１０では、吸込ルーバ２を円盤とし、モータ１０と、吸込ルーバ用モータ４の回転軸７が同じとしているが、吸込口１のみから気流を吸うようにしてやれば、吸込ルーバ２の形状は、円盤でなくてもよく、また、モータ１０と、吸込ルーバ用モータの回転軸７が同じでなくてもよい。
【０１２８】
なお、吸込ルーバ用モータ４は、モータ固定部１２によって固定されるが、流れの圧損にできるだけならないように備えれば、モータ固定部１２のように固定する必要はない。
【０１２９】
（実施の形態１１）
実施の形態１、２、３、４、５、６、７、８、９または１０と同じ構成については同じ符号を用い詳細な説明を省略する。
【０１３０】
図１２は、本発明の実施の形態１１における吸込口１を備えた吸込ルーバ２の斜視図である。
【０１３１】
図１２において、吸込口１にフィン１３を備えた構成となっている。
【０１３２】
以上のように、構成された吸込ルーバ２において、吸込口１から吸込まれる気流がフィン１３に衝突し、吸込口１を回転させる。このフィン１３により、吸込口１を回転させるための駆動部を新たに必要とせず、構造を簡単にでき、製品コストを削減できるという作用を有する。
【０１３３】
なお、本実施の形態１１では、吸込ルーバ２を円盤とし、この円盤の中心で回転させているが、吸込口１のみから気流を吸うようにしてやれば、吸込ルーバ２の形状は、円盤でなくてもよく、また、円盤中心に回転中心３がなくてもよい。
【０１３４】
（実施の形態１２）
実施の形態１、２、３、４、５、６、７、８、９、１０または１１と同じ構成については同じ符号を用い詳細な説明を省略する。
【０１３５】
図１３は、本発明の実施の形態１２におけるスポット吸引装置の横断面図である。
【０１３６】
図１３において、吸込口１の上流側を給気フード１４で囲い、この給気フード１４の外周部にブレード１５を備え、吸込ルーバ２が回転するのと同時に吸込口１と、給気フード１４と、ブレード１５も回転する構成となっている。また、ブレード１５上流の吐出用吸込口１６は、室内側に備え、吐出口１７から吐出される構成となっている。
【０１３７】
以上のように、構成されたスポット吸引装置において、吐出口１７から吐出される気流がエアカーテン状となり、排気対象の汚れた空気を遮断し、排気対象の汚れた空気などを周囲に拡散させずに効率よくスポット吸引できるという作用を有する。
【０１３８】
また、吐出口１７から吐出される気流の吐出方向を、旋回流５を吸込口１側に誘引させるようにすれば、強い旋回流５を発生させる効果を有する。
【０１３９】
なお、本実施の形態１２では、吸込ルーバ２を円盤とし、この円盤の中心で回転させているが、吸込口１のみから気流を吸うようにしてやれば、吸込ルーバ２の形状は、円盤でなくてもよく、また、円盤中心に回転軸７がなくてもよい。
【０１４０】
なお、給気フード１４は、吸込み気流の下流に向かって中空円形状が広がっているが、排気対象の空間に合わせて、給気フード１４の形状を適宜選択してやればよい。
【産業上の利用可能性】
【０１４１】
本発明にかかる吸込ルーバ及びスポット吸引装置は、排気対象の汚れた空気を効率よく吸引させることができる空調機器等として有用である。
【図面の簡単な説明】
【０１４２】
【図１】本発明の実施の形態１の吸込ルーバを示す下視図
【図２】同横断面図
【図３】同実施の形態２の吸込ルーバを示す下視図
【図４】同実施の形態３の吸込ルーバを示す下視図
【図５】同実施の形態４の吸込ルーバを示す下視図
【図６】同実施の形態５の吸込ルーバを示す下視図
【図７】同実施の形態６の吸込ルーバを示す横断面図
【図８】同実施の形態７の吸込ルーバを示す横断面図
【図９】同実施の形態８のスポット吸引装置を示す横断面図
【図１０】同実施の形態９のスポット吸引装置を示す横断面図
【図１１】同実施の形態１０の吸込ルーバを示す斜視図
【図１２】同実施の形態１１のスポット吸引装置を示す横断面図
【図１３】同実施の形態１２のスポット吸引装置を示す横断面図
【図１４】従来のスポット吸引装置を示す概略構成図
【符号の説明】
【０１４３】
１    吸込口
２    吸込ルーバ
３    回転中心
４    吸込ルーバ用モータ
５    旋回流
６Ａ  半径方向
６Ｂ  半径方向
７    回転軸
８    本体
９    ファン
１０  モータ
１１  オリフィス
１２  モータ固定部
１３  フィン
１４  給気フード
１５  ブレード
１６  吐出用吸込口
１７  吐出口
【図１】
2005282983.tif 000003
【図２】
2005282983.tif 000004
【図３】
2005282983.tif 000005
【図４】
2005282983.tif 000006
【図５】
2005282983.tif 000007
【図６】
2005282983.tif 000008
【図７】
2005282983.tif 000009
【図８】
2005282983.tif 000010
【図９】
2005282983.tif 000011
【図１０】
2005282983.tif 000012
【図１１】
2005282983.tif 000013
【図１２】
2005282983.tif 000014
【図１３】
2005282983.tif 000015
【図１４】
2005282983.tif 000016